【手続補正書】
【提出日】平成24年1月27日(2012.1.27)
【手続補正１】
【補正対象書類名】明細書
【補正対象項目名】発明の名称
【補正方法】変更
【補正の内容】
【発明の名称】データ処理装置、プログラム及びデータ処理システム
【手続補正２】
【補正対象書類名】明細書
【補正対象項目名】０００１
【補正方法】変更
【補正の内容】
【０００１】
本発明は、データ処理装置、プログラム及びデータ処理システムに関する。
【手続補正３】
【補正対象書類名】明細書
【補正対象項目名】０００８
【補正方法】変更
【補正の内容】
【０００８】
本発明の課題は、アプリケーションソフトウェアを構成するプログラムと協働してデータ収集装置により収集されるデータを決定するための定義データを容易に生成することである。
【手続補正４】
【補正対象書類名】明細書
【補正対象項目名】０００９
【補正方法】変更
【補正の内容】
【０００９】
上記課題を解決するため、請求項１記載の発明によるデータ処理装置は、識別情報の読取手段を有するデータ収集装置が前記識別情報に基づくデータの収集を行うためのアプリケーションソフトウェアを生成するため、アプリケーションソフトウェアを構成するプログラムと協働して前記データ収集装置により収集される前記データを決定するための定義データを生成するデータ処理装置であって、入力手段を介して行われたユーザの入力操作内容に応じて、夫々異なる前記データに対応する項目を含む複数の設定項目及びシート名が設定された複数のシートを有する表データを生成する表データ生成手段と、前記識別情報に基づくデータを取得するためのプログラムである業務アプリケーションの定義データとしての業務アプリケーション定義を生成する業務アプリケーション定義生成手段と、複数の前記業務アプリケーション定義のうち前記業務アプリケーションと協働させる業務アプリケーション定義を選択するためのメニュー画面を前記データ収集装置の表示装置に表示するためのプログラムである業務メニューの定義データとしての業務メニュー定義を生成する業務メニュー定義生成手段と、前記業務アプリケーション定義生成手段により生成された複数の前記業務アプリケーション定義及び前記業務メニュー定義生成手段により生成された前記業務メニュー定義を前記データ収集装置に転送する転送手段と、を備え、前記業務アプリケーション定義生成手段は、前記表データ生成手段により生成された前記表データに基づいて、前記データ収集装置により収集されるデータと前記表データのシートに設定された設定項目のデータとを対応付けるための業務アプリケーション定義を、前記複数のシートの夫々について個別に生成し、前記業務メニュー定義生成手段は、前記表データの前記シートの数及び各々のシート名に基づいて、前記業務メニューが実行された前記データ収集装置の表示装置により表示される選択項目を前記業務アプリケーション定義手段により前記表データの複数のシートの各々に基づいて生成された業務アプリケーション定義と対応付ける業務メニュー定義を生成することを特徴とする。
【手続補正５】
【補正対象書類名】明細書
【補正対象項目名】００１０
【補正方法】変更
【補正の内容】
【００１０】
請求項２記載の発明は、請求項１に記載のデータ処理装置において、前記表データ生成手段による前記表データの生成に伴い、前記入力手段を介して行われたユーザの入力操作内容に応じて前記シートに設定された複数の設定項目のうち前記データ収集装置により収集されるデータと対応付ける設定項目を指定する指定手段を備えることを特徴とする。
【手続補正６】
【補正対象書類名】明細書
【補正対象項目名】００１１
【補正方法】変更
【補正の内容】
【００１１】
請求項３記載の発明は、請求項２に記載のデータ処理装置において、前記複数の設定項目のうち前記データ収集装置により収集されるデータと対応付ける項目として指定された設定項目と指定されなかった設定項目とを視覚的に識別可能に表示する表示手段を備えることを特徴とする。
【手続補正７】
【補正対象書類名】明細書
【補正対象項目名】００１２
【補正方法】変更
【補正の内容】
【００１２】
請求項４記載の発明のプログラムは、識別情報の読取手段を有するデータ収集装置が前記識別情報に基づくデータの収集を行うためのアプリケーションソフトウェアを生成するため、アプリケーションソフトウェアを構成するプログラムと協働して前記データ収集装置により収集される前記データを決定するための定義データをコンピュータに生成させるためのプログラムであって、前記コンピュータを、入力手段を介して行われたユーザの入力操作内容に応じて、夫々異なる前記データに対応する項目を含む複数の設定項目及びシート名が設定された複数のシートを有する表データを生成する表データ生成手段、前記識別情報に基づくデータを取得するためのプログラムである業務アプリケーションの定義データとしての業務アプリケーション定義を生成する業務アプリケーション定義生成手段、複数の前記業務アプリケーション定義のうち前記業務アプリケーションと協働させる業務アプリケーション定義を選択するためのメニュー画面を前記データ収集装置の表示装置に表示するためのプログラムである業務メニューの定義データとしての業務メニュー定義を生成する業務メニュー定義生成手段、前記業務アプリケーション定義生成手段により生成された複数の前記業務アプリケーション定義及び前記業務メニュー定義生成手段により生成された前記業務メニュー定義を前記データ収集装置に転送する転送手段、として機能させ、前記業務アプリケーション定義生成手段は、前記表データ生成手段により生成された前記表データに基づいて、前記データ収集装置により収集されるデータと前記表データのシートに設定された設定項目のデータとを対応付けるための業務アプリケーション定義を、前記複数のシートの夫々について個別に生成し、前記業務メニュー定義生成手段は、前記表データの前記シートの数及び各々のシート名に基づいて、前記業務メニューが実行された前記データ収集装置の表示装置により表示される選択項目を前記業務アプリケーション定義手段により前記表データの複数のシートの各々に基づいて生成された業務アプリケーション定義と対応付ける業務メニュー定義を生成することを特徴とする。
【手続補正８】
【補正対象書類名】明細書
【補正対象項目名】００１３
【補正方法】変更
【補正の内容】
【００１３】
請求項５記載の発明のデータ処理システムは、識別情報の読取手段を有するデータ収集装置と、前記データ収集装置が前記識別情報に基づくデータの収集を行うためのアプリケーションソフトウェアを生成するため、アプリケーションソフトウェアを構成するプログラムと協働して前記データ収集装置により収集される前記データを決定するための定義データを生成するデータ処理装置と、を有するデータ処理システムであって、前記データ処理装置は、入力手段を介して行われたユーザの入力操作内容に応じて、夫々異なる前記データに対応する項目を含む複数の設定項目及びシート名が設定された複数のシートを有する表データを生成する表データ生成手段と、前記識別情報に基づくデータを取得するためのプログラムである業務アプリケーションの定義データとしての業務アプリケーション定義を生成する業務アプリケーション定義生成手段と、複数の前記業務アプリケーション定義のうち前記業務アプリケーションと協働させる業務アプリケーション定義を選択するためのメニュー画面を前記データ収集装置の表示装置に表示するためのプログラムである業務メニューの定義データとしての業務メニュー定義を生成する業務メニュー定義生成手段と、前記業務アプリケーション定義生成手段により生成された複数の前記業務アプリケーション定義及び前記業務メニュー定義生成手段により生成された前記業務メニュー定義を前記データ収集装置に転送する転送手段と、を備え、前記データ収集装置は、前記転送手段により転送された複数の前記業務アプリケーション定義及び前記業務メニュー定義を受信する受信手段を備え、前記業務アプリケーション定義生成手段は、前記表データ生成手段により生成された前記表データに基づいて、前記データ収集装置により収集されるデータと前記表データのシートに設定された設定項目のデータとを対応付けるための業務アプリケーション定義を、前記複数のシートの夫々について個別に生成し、前記業務メニュー定義生成手段は、前記表データの前記シートの数及び各々のシート名に基づいて、前記業務メニューが実行された前記データ収集装置の表示装置により表示される選択項目を前記業務アプリケーション定義手段により前記表データの複数のシートの各々に基づいて生成された業務アプリケーション定義と対応付ける業務メニュー定義を生成することを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
本発明によれば、アプリケーションソフトウェアを構成するプログラムと協働してデータ収集装置により収集されるデータを決定するための定義データを容易に生成することができる。
【手続補正１３】
【補正対象書類名】特許請求の範囲
【補正対象項目名】全文
【補正方法】変更
【補正の内容】
【特許請求の範囲】
【請求項１】
識別情報の読取手段を有するデータ収集装置が前記識別情報に基づくデータの収集を行うためのアプリケーションソフトウェアを生成するため、アプリケーションソフトウェアを構成するプログラムと協働して前記データ収集装置により収集される前記データを決定するための定義データを生成するデータ処理装置であって、
入力手段を介して行われたユーザの入力操作内容に応じて、夫々異なる前記データに対応する項目を含む複数の設定項目及びシート名が設定された複数のシートを有する表データを生成する表データ生成手段と、
前記識別情報に基づくデータを取得するためのプログラムである業務アプリケーションの定義データとしての業務アプリケーション定義を生成する業務アプリケーション定義生成手段と、
複数の前記業務アプリケーション定義のうち前記業務アプリケーションと協働させる業務アプリケーション定義を選択するためのメニュー画面を前記データ収集装置の表示装置に表示するためのプログラムである業務メニューの定義データとしての業務メニュー定義を生成する業務メニュー定義生成手段と、
前記業務アプリケーション定義生成手段により生成された複数の前記業務アプリケーション定義及び前記業務メニュー定義生成手段により生成された前記業務メニュー定義を前記データ収集装置に転送する転送手段と、を備え、
前記業務アプリケーション定義生成手段は、前記表データ生成手段により生成された前記表データに基づいて、前記データ収集装置により収集されるデータと前記表データのシートに設定された設定項目のデータとを対応付けるための業務アプリケーション定義を、前記複数のシートの夫々について個別に生成し、
前記業務メニュー定義生成手段は、前記表データの前記シートの数及び各々のシート名に基づいて、前記業務メニューが実行された前記データ収集装置の表示装置により表示される選択項目を前記業務アプリケーション定義手段により前記表データの複数のシートの各々に基づいて生成された業務アプリケーション定義と対応付ける業務メニュー定義を生成することを特徴とするデータ処理装置。
【請求項２】
前記表データ生成手段による前記表データの生成に伴い、前記入力手段を介して行われたユーザの入力操作内容に応じて前記シートに設定された複数の設定項目のうち前記データ収集装置により収集されるデータと対応付ける設定項目を指定する指定手段を備えることを特徴とする請求項１に記載のデータ処理装置。
【請求項３】
前記複数の設定項目のうち前記データ収集装置により収集されるデータと対応付ける項目として指定された設定項目と指定されなかった設定項目とを視覚的に識別可能に表示する表示手段を備えることを特徴とする請求項２に記載のデータ処理装置。
【請求項４】
識別情報の読取手段を有するデータ収集装置が前記識別情報に基づくデータの収集を行うためのアプリケーションソフトウェアを生成するため、アプリケーションソフトウェアを構成するプログラムと協働して前記データ収集装置により収集される前記データを決定するための定義データをコンピュータに生成させるためのプログラムであって、
前記コンピュータを、
入力手段を介して行われたユーザの入力操作内容に応じて、夫々異なる前記データに対応する項目を含む複数の設定項目及びシート名が設定された複数のシートを有する表データを生成する表データ生成手段、
前記識別情報に基づくデータを取得するためのプログラムである業務アプリケーションの定義データとしての業務アプリケーション定義を生成する業務アプリケーション定義生成手段、
複数の前記業務アプリケーション定義のうち前記業務アプリケーションと協働させる業務アプリケーション定義を選択するためのメニュー画面を前記データ収集装置の表示装置に表示するためのプログラムである業務メニューの定義データとしての業務メニュー定義を生成する業務メニュー定義生成手段、
前記業務アプリケーション定義生成手段により生成された複数の前記業務アプリケーション定義及び前記業務メニュー定義生成手段により生成された前記業務メニュー定義を前記データ収集装置に転送する転送手段、として機能させ、
前記業務アプリケーション定義生成手段は、
前記表データ生成手段により生成された前記表データに基づいて、前記データ収集装置により収集されるデータと前記表データのシートに設定された設定項目のデータとを対応付けるための業務アプリケーション定義を、前記複数のシートの夫々について個別に生成し、
前記業務メニュー定義生成手段は、
前記表データの前記シートの数及び各々のシート名に基づいて、前記業務メニューが実行された前記データ収集装置の表示装置により表示される選択項目を前記業務アプリケーション定義手段により前記表データの複数のシートの各々に基づいて生成された業務アプリケーション定義と対応付ける業務メニュー定義を生成することを特徴とするプログラム。
【請求項５】
識別情報の読取手段を有するデータ収集装置と、前記データ収集装置が前記識別情報に基づくデータの収集を行うためのアプリケーションソフトウェアを生成するため、アプリケーションソフトウェアを構成するプログラムと協働して前記データ収集装置により収集される前記データを決定するための定義データを生成するデータ処理装置と、を有するデータ処理システムであって、
前記データ処理装置は、
入力手段を介して行われたユーザの入力操作内容に応じて、夫々異なる前記データに対応する項目を含む複数の設定項目及びシート名が設定された複数のシートを有する表データを生成する表データ生成手段と、
前記識別情報に基づくデータを取得するためのプログラムである業務アプリケーションの定義データとしての業務アプリケーション定義を生成する業務アプリケーション定義生成手段と、
複数の前記業務アプリケーション定義のうち前記業務アプリケーションと協働させる業務アプリケーション定義を選択するためのメニュー画面を前記データ収集装置の表示装置に表示するためのプログラムである業務メニューの定義データとしての業務メニュー定義を生成する業務メニュー定義生成手段と、
前記業務アプリケーション定義生成手段により生成された複数の前記業務アプリケーション定義及び前記業務メニュー定義生成手段により生成された前記業務メニュー定義を前記データ収集装置に転送する転送手段と、を備え、
前記データ収集装置は、前記転送手段により転送された複数の前記業務アプリケーション定義及び前記業務メニュー定義を受信する受信手段を備え、
前記業務アプリケーション定義生成手段は、
前記表データ生成手段により生成された前記表データに基づいて、前記データ収集装置により収集されるデータと前記表データのシートに設定された設定項目のデータとを対応付けるための業務アプリケーション定義を、前記複数のシートの夫々について個別に生成し、
前記業務メニュー定義生成手段は、
前記表データの前記シートの数及び各々のシート名に基づいて、前記業務メニューが実行された前記データ収集装置の表示装置により表示される選択項目を前記業務アプリケーション定義手段により前記表データの複数のシートの各々に基づいて生成された業務アプリケーション定義と対応付ける業務メニュー定義を生成することを特徴とするデータ処理システム。